(57)【要約】      （修正有）【課題】グリップと鏝板の着脱操作が非常に簡便であり、鏝板に対するグリップの位置を自在に変更することができる左官鏝を提供する。【解決手段】グリップ２と、このグリップから延出し、先端部４が開閉自在に軸支される一対の挟持部材３と、グリップ及び／又は一対の挟持部材に配設され、一対の挟持部材の先端部を開閉可能に構成するクランプ機構７と、一対の挟持部材３の先端部４が挟持可能な凸条部９を背面に有する鏝板８とを備える左官鏝である。このとき、上記一対の挟持部材の先端部の閉状態における挟持空間の横断面形状と鏝板の凸条部の横断面形状とが、略Ｔ字状又は略逆台形でかつ略同一に形成されているとよい。【選択図】図３
0003156677.tif 000002
【実用新案登録請求の範囲】
【請求項１】
グリップと、
このグリップから延出し、先端部が開閉自在に軸支される一対の挟持部材と、
グリップ及び／又は一対の挟持部材に配設され、一対の挟持部材の先端部を開閉可能に構成するクランプ機構と、
一対の挟持部材の先端部が挟持可能な凸条部を背面に有する鏝板と
を備える左官鏝。
【請求項２】
上記一対の挟持部材の先端部の閉状態における挟持空間の横断面形状と鏝板の凸条部の横断面形状とが、略Ｔ字状又は略逆台形でかつ略同一に形成されている請求項１に記載の左官鏝。
【請求項３】
上記鏝板の縦方向長さ（Ｂ）に対する鏝板の凸条部の長手方向長さ（Ａ）の比（Ａ／Ｂ）が０．３以上であり、かつ上記一対の挟持部材の先端部の長手方向長さ（Ｃ）に対する鏝板の凸条部の長手方向長さ（Ａ）の比（Ａ／Ｃ）が１．５以上である請求項１又は請求項２に記載の左官鏝。
【請求項４】
上記クランプ機構が、
一対の挟持部材の先端部を開方向に付勢するバネ部材と、
一対の挟持部材の先端部の閉方向に一対の挟持部材の後端部の少なくとも一方を押圧するよう構成される操作桿と、
この操作桿で一対の挟持部材の後端部を押圧した状態で、操作桿を係止可能に構成される係止部材と
を有する請求項１、請求項２又は請求項３に記載の左官鏝。
【請求項５】
上記クランプ機構が、
一対の挟持部材の先端部を閉方向に付勢するバネ部材と、
一対の挟持部材の先端部の開方向に一対の挟持部材の後端部の少なくとも一方を押圧するよう構成される操作桿と
を有する請求項１、請求項２又は請求項３に記載の左官鏝。
【請求項６】
複数種類の上記鏝板を備える請求項１から請求項５のいずれか１項に記載の左官鏝。
【考案の詳細な説明】
【技術分野】
【０００１】
本考案は、左官鏝に関し、詳細にはグリップと鏝板とが着脱自在の左官鏝に関する。
【背景技術】
【０００２】
左官工事において、壁塗りに用いる左官鏝は、その用途、対象、材料等に応じて鏝板の形状等が異なる種々の種類のものが必要であり、それらを工事現場まで携行するのは大変であるため、収納性や運搬性の向上が求められている。また、左官鏝は、鏝板が損耗した場合でも、使い込んで手に馴染み易くなったグリップは引き続き使用したいという要請がある。これらを解決するため、今日では、グリップと鏝板とが着脱可能であり、１つのグリップで鏝板を種々取り替えて使うことができる左官鏝が開発されている。
【０００３】
かかる鏝板が着脱可能な従来の左官鏝としては、例えば（ａ）グリップに平行に配設される背金を鏝板背面に配設される背金案内保持部材に挿入・固定する着脱方式（例えば特開平６−２２０９８８号等参照）や、（ｂ）鏝板背面に突設される軸部をグリップに突設されるジョイント部の穴に嵌合・固定する着脱方式（例えば登録実用新案第３０５１６６１号公報等参照）などが開発されている。
【０００４】
しかし、鏝板が着脱可能な上記従来の左官鏝は、鏝板の着脱操作が数多くの煩雑な手順からなり、しかも両手を使って行う必要がある。そのため、例えば１つのグリップを用いて多種類の鏝板に交換しながら左官作業をする場合などにおいては、着脱操作のたびに塗り付け作業を中断しなければならず、作業効率が低下し、時間のロスも多いという問題を有している。
【０００５】
また、上記従来の左官鏝は、着脱部位が穴やネジ溝など狭く複雑な形状を有しているため、そこにセメント等が付着固化した場合に、除去するのが難しく使えなくなるという問題を有している。
【０００６】
さらに、左官鏝には、鏝板に対するグリップの位置によって、中首鏝、元首鏝などの種類があり、前者は大壁などの塗り付けに適し、後者は細かい塗り付けに適しているなど用途や機能等が異なってくる。そのため、鏝板に対するグリップの位置を自在に変えることができれば、用途や機能等を細かく変化させて設定できるので、塗り付け動作の精緻性を要求される左官鏝には非常に有効である。また、それにより、グリップの位置だけが異なる複数の左官鏝はグリップを共有化することにより、携行時の収納性や運搬性を格段に向上させることができる。しかし、上記従来の左官鏝は、グリップに対して鏝板を着脱自在に構成するが、鏝板に対するグリップの位置を工夫したものは存在しない。
【先行技術文献】
【特許文献】
【０００７】
【特許文献１】特開平６−２２０９８８号公報
【特許文献２】登録実用新案第３０５１６６１号公報
【考案の概要】
【考案が解決しようとする課題】
【０００８】
本考案はこれらの不都合に鑑みてなされたものであり、グリップと鏝板との着脱操作が非常に容易かつ確実であり、またセメントやモルタルが着脱部位に付着固化して使用不能になるおそれが小さく、さらに鏝板に対するグリップの位置を自在に設定することができる左官鏝の提供を目的とするものである。
【課題を解決するための手段】
【０００９】
上記課題を解決するためになされた考案は、
グリップと、
このグリップから延出し、先端部が開閉自在に軸支される一対の挟持部材と、
グリップ及び／又は一対の挟持部材に配設され、一対の挟持部材の先端部を開閉可能に構成するクランプ機構と、
一対の挟持部材の先端部が挟持可能な凸条部を背面に有する鏝板と
を備える左官鏝である。
【００１０】
当該左官鏝は、グリップと鏝板との着脱を一対の挟持部材による挟持とその解除によって行う簡単な方式であるとともに、上記クランプ機構によって挟持とその解除を制御するように構成されている。これにより、当該左官鏝は、簡単な操作でかつ迅速にグリップと鏝板との着脱を行うことができる。また、当該左官鏝は、バネ部材を有するクランプ機構を備えることによって、グリップと鏝板とを強固に係合させることができる。
【００１１】
また、当該左官鏝は、一対の挟持部材による挟持方式を採用する結果、着脱部位の接触面の形状が単純であり、かつ２方向に開かれることとなるため、セメントやモルタル等が付着固化しても、その除去が容易であり、従来の着脱可能な左官鏝のように使用不能になるというおそれが小さい。
【００１２】
上記一対の挟持部材の先端部の閉状態における挟持空間の横断面形状と鏝板の凸条部の横断面形状とが、略Ｔ字状又は略逆台形でかつ略同一に形成されているとよい。当該左官鏝によれば、着脱部位がこのような形状を有することで、グリップと鏝板との係合がさらに強固になり、遊びがなく使用時にグリップから鏝板が脱離するおそれが極めて小さい完全に一体物としての左官鏝とすることができる。
【００１３】
上記鏝板の縦方向長さ（Ｂ）に対する鏝板の凸条部の長手方向長さ（Ａ）の比（Ａ／Ｂ）としては０．３以上、かつ上記一対の挟持部材の先端部の長手方向長さ（Ｃ）に対する鏝板の凸条部の長手方向長さ（Ａ）の比（Ａ／Ｃ）としては１．５以上が好ましい。当該左官鏝によれば、鏝板に対してグリップの位置を設定の範囲内で自在に変更することができる。これにより、１枚の鏝板に対してグリップの位置を変えることによって、種々の用途や機能を有する左官鏝とすることができる。
【００１４】
上記クランプ機構は、
一対の挟持部材の先端部を開方向に付勢するバネ部材と、
一対の挟持部材の先端部の閉方向に一対の挟持部材の後端部の少なくとも一方を押圧するよう構成される操作桿と、
この操作桿で一対の挟持部材の後端部を押圧した状態で、操縦桿を係止可能に構成される係止部材と
を有するとよい。当該左官鏝によれば、このようなクランプ機構を有することで、グリップを握ったまま、片手指だけで、しかも非常に簡単な操作でかつ非常に迅速に着脱操作を行うことができる。また、このようなクランプ機構はグリップの内部に内蔵可能であるので、コンパクトな構造の着脱自在の左官鏝とすることができる。
【００１５】
また、上記クランプ機構は、
一対の挟持部材の先端部を閉方向に付勢するバネ部材と、
一対の挟持部材の先端部の開方向に一対の挟持部材の後端部の少なくとも一方を押圧するよう構成される操作桿と
を有することも可能である。当該左官鏝によれば、このようなクランプ機構を有することで、上記同様に、グリップを握ったまま、片手指だけで、しかも非常に簡単な操作でかつ非常に迅速に着脱操作を行うことができ、またコンパクトな構造の着脱自在の左官鏝とすることができる。
【００１６】
従って、当該左官鏝と、この左官鏝において交換可能な複数種類の鏝板によれば、１つのグリップを用いて多種類の鏝板に交換することにより、様々な用途や機能を発揮することができる。また、当該左官鏝はグリップを共有化しているので、携行時の収納性や運搬性に優れている。
【考案の効果】
【００１７】
以上説明したように、本考案の左官鏝によれば、グリップと鏝板との着脱操作性に優れている。その結果、当該左官鏝によれば、収納性や運搬性の向上や、使い込んで手に馴染み易くなったグリップは引き続き使用したいという今日的要請に応えることができる。
【図面の簡単な説明】
【００１８】
【図１】本考案の一実施形態に係る左官鏝の平面図である。
【図２】図１の左官鏝の長手方向断面図（切断線Ａ−Ａ）である。
【図３】図１の左官鏝の幅方向断面図（切断線Ｂ−Ｂ）である。
【図４】図１の左官鏝の鏝板分離状態を示す長手方向断面図である。
【図５】図１の左官鏝の鏝板分離状態を示す幅方向断面図である。
【図６】本考案の他の実施形態に係る左官鏝の幅方向断面図である。
【考案を実施するための形態】
【００１９】
以下、適宜図面を参照しつつ、本考案の左官鏝の実施の形態を詳説する。
【００２０】
図１〜図５に示す左官鏝１は、グリップ２と、グリップ２から延出した一対の挟持部材３、３と、グリップ２に配設されるクランプ機構Ａ７と、鏝板８とを主に備えている。
【００２１】
グリップ２は、略円柱状の外形状を有しており、その内部にクランプ機構Ａ７を内蔵するための空洞を有している。該空洞は、一対の挟持部材３、３を挿通するための断面略矩形の開口部をグリップ２の下面に有している。また、該空洞は、クランプ機構Ａ７を構成する操作桿１１及び係止部材１６のそれぞれの一端を突出させるための一対の断面略矩形の開口部をグリップ２の上面に有しており、クランプ機構Ａ７をグリップ２の上面において操作できるようにしている。
【００２２】
一対の挟持部材３、３は、それぞれ側面から見て略逆Ｔ字状の形状を有しており、互いに対向配置するとともに、軸支部６によって開閉自在に軸支されている。これらは、グリップ２の下部の開口部に挿通されるとともに、一対の挟持部材３、３の先端部４、４の長手方向が、グリップ２の長手方向に対して平行になるように配置されている。また、一方の挟持部材３は、その後端部５においてグリップ２の下部に固着されており、他方の挟持部材３を回動することによって、一対の挟持部材３、３の先端部４、４を開閉できるように構成されている。
【００２３】
鏝板８は、金属製、プラスチック製等の板状体である。この鏝板８の平面形状は、特に限定されず、左官鏝１の用途や機能等に応じて適宜設定される。また、鏝板８の幅方向断面形状も、平面的形状に限定されず、例えばＵ字状又はＶ字状などであってもよい。
【００２４】
鏝板８は、その背面に上記一対の挟持部材３、３の先端部４、４が挟持可能な凸条部９を有している。ここで、凸条部９は、該先端部４、４が挟持可能な部分のみを指し、例えば、挟持可能な部分の片端又は両端に配設されている係止部位などは含まない。
【００２５】
凸条部９の形状は、上記先端部４、４の対向面の形状に応じて適宜設定されるが、先端部４、４の閉状態における挟持空間（先端部４、４のそれぞれの対向面の間に形成される空間）の横断面形状と、鏝板８の凸条部９の横断面形状とが略同一に形成されていることが好ましい。同一の形状にすることによって、先端部４、４の対向面と凸条部９の表面が隙間なく密着できるため、グリップ２と鏝板８とを強固に遊びがない状態で係合させることができる。また、該同一の形状が、略Ｔ字状又は略逆台形に形成されていることがさらに好ましい。該同一の形状がこのような形状を有していることによって、グリップ２と鏝板８との係合力がさらに増大するため、使用時にグリップから鏝板が脱離するおそれが極めて小さい完全に一体物としての左官鏝とすることができる。
【００２６】
凸条部９のサイズは、特に限定されず、鏝板８のサイズや重量等に応じて適宜設定される。例えば、一対の挟持部材３、３の先端部４、４の長手方向長さ（Ｃ）に対する凸条部９の長手方向長さ（Ａ）の比（Ａ／Ｃ）としては１．５以上が好ましい。このような長さに設定することによって、鏝板８に対するグリップ２の位置を連続的に変えることができる。また、鏝板８の縦方向長さ（Ｂ）に対する凸条部９の長手方向長さ（Ａ）の比（Ａ／Ｂ）としては０．３以上が好ましい。このような長さに設定することによって、鏝板８に対するグリップ２の位置を設定範囲内で連続的に自在に変えることができ、グリップ２の位置が異なることによって発現される多様な用途や機能を有する左官鏝１とすることができる。なお、この鏝板８の縦方向長さ（Ｂ）に対する凸条部９の長手方向長さ（Ａ）の比（Ａ／Ｂ）としては、０．５以上であることが特に好ましい。
【００２７】
凸条部９を鏝板８の背面上に配設する位置は、左官鏝１の用途や機能等に応じて適宜設定される。例えば、背面の中央や背面の縦方向の中央線上の後方側などに設定される。
【００２８】
クランプ機構Ａ７は、一対の挟持部材３、３の先端部４、４を開閉させ、また閉状態で固定するために設けられている。クランプ機構Ａ７は、バネ部材１０と、操作桿１１と、係止部材１６とを主に有している。
【００２９】
バネ部材１０は、圧縮コイルバネであり、グリップ２に固設されていない他方の挟持部材３の後端部５とグリップ２の内壁側面との間に弾発するよう配設されている。これによって、一対の挟持部材３、３の先端部４、４は開方向に付勢されている。
【００３０】
操作桿１１は、略板状の形状を有している。操作桿１１は、その上端がグリップ２の上面に穿設した開口部から突出して操作部ａ１３を形成するとともに、下端は一対の挟持部材３、３の後端部５、５の間に配置されて押圧部１２を形成しており、これによって上下自在に配設されている。操作桿１１が下方に変位すると、該押圧部１２が一対の挟持部材３、３の後端部５、５の対向面を押圧し、一対の挟持部材３、３の先端部４、４が閉方向へ回動されるようになっている。また、操作桿１１はその側面に上記係止部材１６が係合するための略矩形の係止溝１４を有している。
【００３１】
第１付勢部材１５は、圧縮コイルバネであり、操作桿１１の下部とグリップ２の内壁底面との間に弾発するよう配設されている。これにより、操作桿１１は上方向に付勢されている。
【００３２】
係止部材１６は、略Ｌ字状の形状を有している。係止部材１６は、その一端である係止端１７が上記操作桿１１の係止溝１４に挿脱可能に配置されるとともに、他端はグリップ２の上部に穿設された開口部から突出して操作部ｂ１８を形成しており、これによって前後自在に配設されている。該係止端１７が上記操作桿１１の係止溝１４に挿入すると、操作桿１１はその押圧部１２が一対の挟持部材３、３の後端部５、５の対向面を押圧した状態で固定される。これによって、一対の挟持部材３、３の先端部４、４が閉状態で固定されるよう構成されている。
【００３３】
第２付勢部材１９は、圧縮コイルバネであり、上記係止部材１６の前方側面とグリップ２の内壁前面との間に弾発するよう配設されている。これにより、係止部材１６は、後方すなわち係止端１７が操作桿１１の係止溝１４に挿入する方向に付勢されている。
【００３４】
次に、このように構成された左官鏝１の着脱操作について説明する。まず、分離しているグリップ２と鏝板８とを係合する操作について説明する。
【００３５】
グリップ２に配設されている一対の挟持部材３、３の開状態となっている先端部４、４の対向面を、鏝板８の凸条部９に当接させた状態で、操作桿１１の操作部ａ１３を片手親指で下方に押動する。このとき、操作桿１１が第１付勢部材１５の付勢力に抗して下方に変位し、その下端である押圧部１２が一対の挟持部材３、３の後端部５、５の対向面を押圧する。これを受けて、該先端部４、４が、バネ部材１０の付勢力に抗して閉状態まで回動して鏝板８の凸条部９を挟持する。このとき、第２付勢部材１９によって挿入方向に付勢されている係止部材１６の係止端１７が、操作桿１１の係止溝１４に挿入することにより、操作桿１１が下方に変位した位置で固定されるため、該先端部４、４が凸条部９を挟持したまま閉状態で固定される。このようにして、グリップ２と鏝板８が強固に係合し、遊びのない一体化した左官鏝１となる。
【００３６】
次に一体化している左官鏝１のグリップ２と鏝板８を分離する操作について説明する。
【００３７】
後方に移動している係止部材１６の操作部ｂ１８を、片手親指で前側に移動する。このとき、係止端１７が操作桿１１の係止溝１４から排出され、第１付勢部材１５の付勢力によって操作桿１１が上方へ変位し、その押圧部１２が一対の挟持部材３、３の後端部５、５から離反する。これを受けて、一対の挟持部材３、３の先端部４、４の閉状態の固定が解除され、バネ部材１０の付勢力によって、該先端部４、４が開状態まで回動し、該先端部４、４と鏝板８の凸条部９が離反する。このようにして、グリップ２と鏝板８を分離することができる。
【００３８】
このように、左官鏝１によれば、グリップ２を握ったまま、片手親指だけで、操作部を１回押動又は摺動するだけの非常に簡単な操作によって、グリップ２と鏝板８との着脱を行うことができる。
【００３９】
図６の左官鏝２０は、グリップ２と、このグリップ２から延出した一対の挟持部材３、３と、グリップ２に配設されるクランプ機構Ｂ２１と、鏝板８とを主に備えている。左官鏝２０は、左官鏝１とはクランプ機構の構成のみが異なっている。グリップ２、一対の挟持部材３、３、鏝板８及び凸条部９は、上記左官鏝１と同様であるので、同一番号を付して説明を省略する。左官鏝２０においては、グリップ２の内部の空洞は、一対の挟持部材３、３を挿通するための断面略矩形の開口部をグリップ２の下面に有している。また、該空洞は、クランプ機構Ｂ２１を構成する操作桿１１の一端が突出するための断面略矩形の開口部をグリップ２の側面に有している。
【００４０】
クランプ機構Ｂ２１は、一対の挟持部材３、３の先端部４、４を開閉させ、また閉状態で固定するために設けられている。クランプ機構Ｂ２１は、バネ部材１０と、操作桿１１とを主に有している。
【００４１】
バネ部材１０は、圧縮コイルバネであり、一対の挟持部材３、３の後端部５、５の対向面間に弾発するよう配設されている。これにより、上記先端部４、４は、閉方向に付勢されている。
【００４２】
操作桿１１は、略角柱状の形状を有している。操作桿１１は、その一端がグリップ２の側面に穿設された開口部から突出して、操作部ａ１３を形成するとともに、他端である押圧部１２が、グリップ２の下部に固設されてない方の挟持部材３の後端部５を押圧可能に配置されており、これによって左右自在に配設されている。操作桿１１が水平方向に変位すると、その押圧部１２が一方の挟持部材３の後端部５を押圧し、バネ部材１０の付勢力に抗して一対の挟持部材３、３の先端部４、４が開状態に回動するようになっている。
【００４３】
次に、このように構成された左官鏝２０の着脱操作について説明する。まず、分離している鏝板８の凸条部９を一対の挟持部材３、３の先端部４、４で挟持し、鏝板８とグリップ２とを係合させる操作について説明する。
【００４４】
グリップ２の側面から突出した操作部ａ１８を片手親指で押圧し、グリップ２に配設された一対の挟持部材３、３の先端部４、４を開状態とする。それから、該先端部４、４の対向面が鏝板８の凸条部９の表面と当接するように配置してから、操作部ａ１８の押圧を中止する。こうすることにより、該先端部４、４が閉状態となって凸条部９を挟持した状態となる。このとき、該先端部４、４を閉方向に付勢するバネ部材１０の付勢力によって挟持状態が固定されている。このようにして、グリップ２と鏝板８とを係合させることができる。
【００４５】
次に、一体化した左官鏝２０のグリップ２と鏝板８を分離する操作について説明する。
【００４６】
一対の挟持部材３、３の先端部４、４が鏝板８の凸条部９を挟持した状態において、グリップ２の側面から突出している操作部ａ１３を片手親指で押圧する。このとき、操作桿１１がバネ部材１０の付勢力に抗して水平方向に変位し、操作桿１１の押圧部１２が、グリップ２の下部に固設されていない方の挟持部材３の後端部５を押圧するため、該先端部４、４が開状態となる。それから操作部ａ１３を押圧したままグリップ２を移動して、該先端部４、４の対向面と鏝板８の凸条部９とを離隔した後、該操作部ａ１３の押圧を中止して該先端部４、４を閉状態する。このようにして、グリップ２と鏝板８を分離することができる。
【００４７】
このように、左官鏝２０によれば、グリップ２を握ったまま、片手親指だけで、操作部ａ１３を押圧又は解除するだけの非常に簡単な操作によって、グリップ２と鏝板８との着脱を行うことができる。
【００４８】
なお、本考案の左官鏝は、上記実施形態に限定されるものではなく、例えば、クランプ機構が、グリップと一対の挟持部材に配設されてもよく、一対の挟持部材にのみ配設されていてもよい。このようにクランプ機構が一対の挟持部材にのみ配設される左官鏝は、クランプ機構がグリップに内蔵されておらず、コンパクトさは劣るが、グリップの内部構造が不要であり、簡単に製作することができる。
【００４９】
また、バネ部材として、圧縮バネを用いる代わりに、引張バネを用い同方向に付勢するように配置してもよい。また、第１付勢部材や第２付勢部材として、同様に圧縮バネを用いる代わりに、引張バネを用いてもよい。
【００５０】
さらに、一対の挟持部材をグリップに配設する向きは、一対の挟持部材の先端部の長手方向の向きが、グリップの長手方向の向きに対して平行でなくてもよく、鏝板の形状や左官鏝を動かす方向等に応じて適宜選択される。その場合、凸条部を鏝板の背面上に配設する向きは、凸条部の長手方向の向きが該先端部の長手方向の向きと平行になるように設定される。
【００５１】
また、一対の挟持部材の先端部を閉方向に付勢するバネ部材としては、上述の一対の挟持部材の後端部の対向面間に弾発するよう配設されるものに限定されず、例えばコイル部分が一対の挟持部材の軸支部に配設され、両端部が一対の挟持部材の後端側内面に沿うよう配設される捻りバネでも可能であり、構造の簡易性等を向上することができる。
【００５２】
さらに、グリップ２の外面形状を人間の手指にフィットする形状とすることもできる。そのようなグリップ２の形状にすることによって、握りやすく、非常に作業し易い左官鏝とすることができる。
【００５３】
それから、当該左官鏝に存する種々のすきまの近傍に遮蔽部材を配設してもよい。そのような遮蔽部材を配設することによって、セメント、モルタル、砂などが当該すきまからグリップ２の内部に侵入するのを防止し、または、セメントなどがすきまの間に入り込んで可動部分が固着したり、動作困難になるのを防止することができる。それによって、実際の使用環境下においても、長く使い続けることができる耐久性の高い左官鏝とすることができる。そのようなすきまとしては、図５に示すように、例えば、グリップ２の外部における一対の挟持部材３、３の間のすきま２２や回動可能な挟持部材３とグリップ２との間のすきま２３などが挙げられる。当該遮蔽部材の形状、材質、及びそれを配設する位置は、セメント等のすきまへの入り込みを防止できるものである限り、特に限定されない。具体的には、一対の挟持部材３、３の間のすきま２２に対しては、グリップ２の下面から突出し、一対の挟持部材３、３の前面部や後面部に近接させた板状部材が用いられる。また、回動可能な挟持部材３とグリップ２との間のすきま２３に対しては、例えば、ゴムなどの軟質材料からなる板状部材や、硬質板の表面に軟質材料からなる突起物等を有する部材などを採用し、グリップ２又は回動可能な挟持部材３から突出させて配設することにより、当該左官鏝の回動可能な挟持部材３の動きに合わせて遮蔽部材が変形することによって、上記すきま２３からセメント等が入り込むのを効果的に防止することができる。
【産業上の利用可能性】
【００５４】
以上のように、本考案は、グリップと鏝板との着脱操作性に優れる左官鏝を提供することができる。特に、鏝板の取替が簡単かつ迅速に行え、携行時の収納性、運搬性に優れているため、多種類の左官鏝が必要な左官工事に適している。
【符号の説明】
【００５５】
１    左官鏝
２    グリップ
３    挟持部材
４    先端部
５    後端部
６    軸支部
７    クランプ機構Ａ
８    鏝板
９    凸条部
１０  バネ部材
１１  操作桿
１２  押圧部
１３  操作部ａ
１４  係止溝
１５  第１付勢部材
１６  係止部材
１７  係止端
１８  操作部ｂ
１９  第２付勢部材
２０  左官鏝
２１  クランプ機構Ｂ  
２２  一対の挟持部材の間のすきま
２３  回動可能な挟持部材とグリップとの間のすきま
【図１】
0003156677.tif 000003
【図２】
0003156677.tif 000004
【図３】
0003156677.tif 000005
【図４】
0003156677.tif 000006
【図５】
0003156677.tif 000007
【図６】
0003156677.tif 000008